(57)【要約】      （修正有）【課題】音叉形状の圧電振動子を提供する。【解決手段】基部部分３０と、その基部部分に接続された音叉腕１０、２０と、枠部分１〜４とを備えて構成され、音叉腕１０、２０は、第１振動部１１、２１と第２振動部１３、２３とを備える。第２振動部の幅Ｗｅは、第１振動部の幅Ｗより大きく、第２振動部の長さＬｅは、第１振動部の長さＬより小さい。第１振動部の上面と下面の少なくとも一面に溝１２、２２が形成され、第１枠部分と第２枠部分は、音叉腕１０、２０の外側に音叉腕と共通の方向に延在し、第１枠部分は、第３枠部分と第４枠部分を介して第２枠部分に接続される。基部部分は接続部分４０を介して、あるいは直に第３枠部分に接続される。第１枠部分から第４枠部分の内側側面の長さがそれぞれＡ、Ｂ、Ｃ、Ｄで与えられ、第２長さ寸法ＬｉがＬｉ＝Ａ＋Ｂ＋Ｃ＋Ｄで与えられるとき、第２長さ寸法Ｌｉは、１．６ｍｍから４．２ｍｍの範囲内にある。【選択図】図１
2019024185.tif 000002
【特許請求の範囲】
【請求項１】
基部部分と、前記基部部分に接続された少なくとも第１音叉腕と第２音叉腕と、枠とを備えて構成され、
第１音叉腕と第２音叉腕の各音叉腕は、少なくとも第１振動部と第２振動部とを備え、第２振動部の幅は第１振動部の幅より大きく、第２振動部の長さは第１振動部の長さより小さく、第１振動部の上面と下面の少なくとも一面に溝が形成され、
前記枠は少なくとも第１枠部分と第２枠部分と第３枠部分と第４枠部分とを備えて構成され、第１枠部分と第２枠部分は第１音叉腕と第２音叉腕の外側に第１音叉腕と第２音叉腕と共通の方向に延在して形成され、第１枠部分は第３枠部分と第４枠部分を介して第２枠部分に接続され、
前記基部部分は接続部分を介して、あるいは直に第３枠部分に接続されていて、
第１枠部分から第４枠部分の内側側面の長さがそれぞれＡ，Ｂ，Ｃ，Ｄで与えられ、第２長さ寸法ＬｉがＬｉ＝Ａ＋Ｂ＋Ｃ＋Ｄで与えられるとき、第２長さ寸法Ｌｉは１．６ｍｍから４．２ｍｍの範囲内にあることを特徴とする圧電振動子。
【請求項２】
請求項１において、第１枠部分から第４枠部分の外側側面の長さがそれぞれａ，ｂ，ｃ，ｄで与えられ、第１長さ寸法ＬｏがＬｏ＝ａ＋ｂ＋ｃ＋ｄの関係を備え、ＬｏｉがＬｏｉＬｏ−Ｌｉで定義されるとき、Ｌｏｉは０．８ｍｍから３．６ｍｍの範囲内にあることを特徴とする圧電振動子。
【請求項３】
請求項１又は請求項２において、第４枠部分は第１音叉腕と第２音叉腕の先端部分の外側に、第１音叉腕と第２音叉腕の方向と異なる方向に延在し、第１枠部分と第２枠部分と第４枠部分の幅がそれぞれＦ１、Ｆ２、Ｆ４で与えられるとき、Ｆ１、Ｆ２＞Ｆ４の関係を備えていることを特徴とする圧電振動子。
【請求項４】
請求項１から請求項３のいずれか１項において、音叉型振動子の全幅Ｗｏｖと音叉型振動子の全長Ｌｏｖとの比が、ＷＬｏｖ＝Ｗｏｖ／Ｌｏｖで定義され、ＷＬｏｖが０．２５から０．６９の範囲内に、Ａ及び／又はＢは０．６４ｍｍから１．２４ｍｍ範囲内にあることを特徴とする圧電振動子。
【請求項５】
請求項１から請求項４のいずれか１項において、第１音叉腕と第２音叉腕の各音叉腕の第２振動部の幅がＷｅで与えられ、第１枠部分と第１音叉腕の第１振動部分との間の間隔がＷ５で定義され、第２枠部分と第２音叉腕の第１振動部分との間の間隔がＷ６で定義されるとき、Ｗｅ＞Ｗ５、Ｗ６の関係を備え、第１音叉腕の第２振動部と第２音叉腕の第２振動部の間の間隔がＷ３で与えられるとき、Ｗ３＜Ｗ５、Ｗ６の関係を備えていることを特徴とする圧電振動子。
【請求項６】
請求項１から請求項５のいずれか１項に記載の圧電振動子と、ケースと、蓋と、を備えて構成され、
幅Ｆ４を備えた第４枠部分は幅Ｆ３を備えた第３枠部分と反対の位置に形成され、第１枠部分から第４枠部分がケースと蓋の間にあるように、第１枠部分から第４枠部分がケースと蓋に接続されていることを特徴とする圧電ユニット。
【請求項７】
請求項１に記載の圧電振動子と、ケースと、蓋と、を備えて構成され、
第１枠部分から第４枠部分の外側面の長さがそれぞれａ，ｂ，ｃ，ｄで与えられ、第１長さ寸法ＬｏがＬｏ＝ａ＋ｂ＋ｃ＋ｄで与えられるとき、第１長さ寸法Ｌｏは２．４ｍｍから５ｍｍの範囲内にあり、
第４枠部分は第１音叉腕と第２音叉腕の先端部分の外側に、第１音叉腕と第２音叉腕の方向と異なる方向に延在し、第１枠部分から第４枠部分の幅がそれぞれＦ１、Ｆ２、Ｆ３、Ｆ４で与えられるとき、Ｆ１、Ｆ２＞Ｆ３、Ｆ４の関係を備えていることを特徴とする圧電ユニット。
【請求項８】
請求項６又は請求項７において、第３枠部分の幅Ｆ３と第４枠部分の幅Ｆ４との間には、Ｆ３＞Ｆ４、あるいはＦ３＝Ｆ４の関係を備えていることを特徴とする圧電ユニット。
【請求項９】
請求項１から請求項５のいずれか１項に記載の圧電振動子を、あるいは請求項６から請求項８のいずれか１項に記載の圧電ユニットを備えていることを特徴とする圧電発振器。
【請求項１０】
請求項１から請求項５のいずれか１項に記載の圧電振動子を、あるいは請求項６から請求項８のいずれか１項に記載の圧電ユニットを、あるいは請求項９に記載の圧電発振器を備えていることを特徴とする電子機器。
【発明の詳細な説明】
【技術分野】
【０００１】  本発明は音叉型の圧電振動子（音叉型圧電振動子）と、その音叉型圧電振動子とケースと蓋とを備えて構成される圧電ユニットと、その圧電ユニットを備える圧電発振回路を備えた圧電発振器とその圧電発振器を備えた電子機器とそれらの製造方法に関する。
【背景技術】
【０００２】  例えば、特許文献１の段落００３５には、基部側から先端部の約半分の位置に第１幅Ｗｆが、その第１幅より広い第２幅Ｗｓが音叉腕の自由端である先端部から腕の長さの約半分の位置に形成されていることが記載されている。この形状で、かつ、従来のケースの内部の固定部に固定した方法では、基本波モード振動の発振周波数が、例えば約３２．７６８ｋＨｚで、その周波数での等価直列抵抗Ｒ１の増加を抑え、かつ、ある程度の小型化（例えば、全長が２ｍｍ程度の水晶ユニット）を図ることができるが、全長が１．３５ｍｍに等しいか、あるいは、１．３５ｍｍより小さいより小型化された水晶ユニットを実現するには、音叉型水晶振動子のＷｓｆ＝Ｗｓ／Ｗｆをかなり大きく、かつ、Ｗｆをかなり小さくする必要がある。しかし、Ｗｓｆ＝Ｗｓ／Ｗｆをかなり大きく、かつ、Ｗｆをかなり小さくすると等価直列抵抗Ｒ１が全長２ｍｍの水晶ユニットの等価直列抵抗の２倍以上と極めて大きな等価直列抵抗となると共に、バラツキも大きくなり、等価直列抵抗Ｒ１の増加を抑制した音叉腕のより短い超小型の音叉型水晶振動子を実現することは極めて困難であった。同時に、音叉型水晶振動子の長さを短く小型化すると等価インダクタンスＬ１が大きくなり、その振動子で発振器を構成し、その発振器の電源をオンにしたときに、その発振器の出力信号の立ち上がり時間（Ｌ１に比例する）、いわゆる起動時間が長くなるという課題が残されていた。
【特許文献１】特開２００３−４３６３１０
【発明の開示】
【発明が解決しようとする課題】
【０００３】  このようなことから、等価直列抵抗Ｒ１の増加を抑制し、かつ、等価インダクタンスＬ１の小さい音叉腕のより短い超小型の音叉型圧電振動子を実現するには、新形状の音叉型圧電振動子と、その音叉型圧電振動子と蓋とケースとを備えて構成される圧電ユニットと、その圧電ユニットと増幅器とコンデンサと抵抗とを備えて構成される圧電発振器と、その圧電発振器を備えた電子機器と、それらの製造方法が所望されていた。【０００４】  特に、圧電材料として水晶を用いた新形状の音叉型水晶振動子と、その音叉型水晶振動子からなる水晶ユニットと、その水晶ユニットからなる水晶発振器と、その水晶発振器を備えた電子機器と、それらの製造方法が所望されていた。
【課題を解決するための手段】
【０００５】  本発明は、以下の方法で従来の課題を有利に解決した屈曲モードで振動する、超小型の音叉型圧電（水晶）振動子と、その音叉型圧電（水晶）振動子と蓋とケースとを備えて構成される圧電（水晶）ユニットと、その圧電（水晶）ユニットと増幅器とコンデンサと抵抗とを備えて構成される圧電（水晶）発振器と、その圧電（水晶）発振器を備えた電子機器と、それらの製造方法を提供することを目的とするものである。【０００６】  すなわち、本発明の圧電振動子の第１の態様は、基部部分と、前記基部部分に接続された少なくとも第１音叉腕と第２音叉腕と、枠とを備えて構成され、第１音叉腕と第２音叉腕の各音叉腕は、少なくとも第１振動部と第２振動部とを備え、第２振動部の幅は第１振動部の幅より大きく、第２振動部の長さは第１振動部の長さより小さく、第１振動部の上面と下面の少なくとも一面に溝が形成され、前記枠は少なくとも第１枠部分と第２枠部分と第３枠部分と第４枠部分とを備えて構成され、第１枠部分と第２枠部分は第１音叉腕と第２音叉腕の外側に第１音叉腕と第２音叉腕と共通の方向に延在して形成され、第１枠部分は第３枠部分と第４枠部分を介して第２枠部分に接続され、前記基部部分は接続部分を介して、あるいは直に第３枠部分に接続されていて、第１枠部分から第４枠部分の内側側面の長さがそれぞれＡ，Ｂ，Ｃ，Ｄで与えられ、第２長さ寸法ＬｉがＬｉ＝Ａ＋Ｂ＋Ｃ＋Ｄで与えられるとき、第２長さ寸法Ｌｉは１．６ｍｍから４．２ｍｍの範囲内にある圧電振動子である。
本発明の圧電振動子の第２の態様は、第１の態様において、第１枠部分から第４枠部分の外側側面の長さがそれぞれａ，ｂ，ｃ，ｄで与えられ、第１長さ寸法ＬｏがＬｏ＝ａ＋ｂ＋ｃ＋ｄの関係を備え、ＬｏｉがＬｏｉＬｏ−Ｌｉで定義されるとき、Ｌｏｉは０．８ｍｍから３．６ｍｍの範囲内にある圧電振動子である。
本発明の圧電振動子の第３の態様は、第１の態様又は第２の態様において、第４枠部分は第１音叉腕と第２音叉腕の先端部分の外側に、第１音叉腕と第２音叉腕の方向と異なる方向に延在し、第１枠部分と第２枠部分と第４枠部分の幅がそれぞれＦ１、Ｆ２、Ｆ４で与えられるとき、Ｆ１、Ｆ２＞Ｆ４の関係を備えている圧電振動子である。
本発明の圧電振動子の第４の態様は、第１の態様から第３の態様のいずれか１つの態様において、音叉型振動子の全幅Ｗｏｖと音叉型振動子の全長Ｌｏｖとの比が、ＷＬｏｖ＝Ｗｏｖ／Ｌｏｖで定義され、ＷＬｏｖが０．２５から０．６９の範囲内に、Ａ及び／又はＢは０．６４ｍｍから１．２４ｍｍの範囲内にある圧電振動子である。
本発明の圧電振動子の第５の態様は、第１の態様から第４の態様のいずれか１つの態様において、第１音叉腕と第２音叉腕の各音叉腕の第２振動部の幅がＷｅで与えられ、第１枠部分と第１音叉腕の第１振動部分との間の間隔がＷ５で定義され、第２枠部分と第２音叉腕の第１振動部分との間の間隔がＷ６で定義されるとき、Ｗｅ＞Ｗ５、Ｗ６の関係を備え、第１音叉腕の第２振動部と第２音叉腕の第２振動部の間の間隔がＷ３で与えられるとき、Ｗ３＜Ｗ５、Ｗ６の関係を備えている圧電振動子である。【０００７】  本発明の圧電ユニットの第１の態様は、第１の態様から第５の態様のいずれか１つの態様に記載の圧電振動子と、ケースと、蓋と、を備えて構成され、幅Ｆ４を備えた第４枠部分は幅Ｆ３を備えた第３枠部分と反対の位置に形成され、第１枠部分から第４枠部分がケースと蓋の間にあるように、第１枠部分から第４枠部分がケースと蓋に接続されている圧電ユニットである。
本発明の圧電ユニットの第２の態様は、第１の態様に記載の圧電振動子と、ケースと、蓋と、を備えて構成され、第１枠部分から第４枠部分の外側側面の長さがそれぞれａ，ｂ，ｃ，ｄで与えられ、第１長さ寸法ＬｏがＬｏ＝ａ＋ｂ＋ｃ＋ｄで与えられるとき、第１長さ寸法Ｌｏは２．４ｍｍから５ｍｍの範囲内にあり、第４枠部分は第１音叉腕と第２音叉腕の先端部分の外側に、第１音叉腕と第２音叉腕の方向と異なる方向に延在し、第１枠部分から第４枠部分の幅がそれぞれＦ１、Ｆ２、Ｆ３、Ｆ４で与えられるとき、Ｆ１、Ｆ２＞Ｆ３、Ｆ４の関係を備えている圧電ユニットである。
本発明の圧電ユニットの第３の態様は、第１の態様又は第２の態様において、第３枠部分の幅Ｆ３と第４枠部分の幅Ｆ４との間には、Ｆ３＞Ｆ４、あるいはＦ３＝Ｆ４の関係を備えている圧電ユニットである。
本発明の圧電発振器の第１の態様は、第１の態様から第５の態様のいずれか１つの態様に記載の圧電振動子を、あるいは第１の態様から第３の態様のいずれか１つの態様に記載の圧電ユニットを備えている圧電発振器である。
本発明の電子機器の第１の態様は、第１の態様から第５の態様のいずれか１つの態様に記載の圧電振動子を、あるいは第１の態様から第３の態様のいずれか１つの態様に記載の圧電ユニットを、あるいは第１の態様に記載の圧電発振器を備えている電子機器である。
【発明の効果】
【０００８】  水晶などの圧電材料から形成される音叉型振動子（音叉型圧電振動子、又は音叉型水晶振動子）は音叉腕と基部部分と枠とを少なくとも備え、かつ、それらは一体に形成されると共に、枠をケースと蓋に挟むように、枠がケースと蓋の固定部に固定されるので、小さい等価インダクタンスＬ１を備えた音叉型振動子が得られ、音叉型振動子とケースと蓋とを備えて構成される超小型の圧電（水晶）ユニットが実現できる。その結果、その音叉型振動子を備えた圧電（水晶）ユニットの最大の辺の寸法が１．３５ｍｍに等しいか、あるいは、１．３５ｍｍより小さい超小型の圧電（水晶）ユニットが高品質（小さい等価インダクタンスＬ１）で実現できる。この寸法は本発明によって初めてもたらされるものでありその作用効果は極めて大きなものである。【０００９】  加えて、音叉型振動子の等価インダクタンスＬ１が小さくなるので、本振動子を用いて構成される発振器の電源をオンにしたとき、その発振器の出力信号の起動時間が短くなるという作用効果が奏される。【００１０】  さらに、等価直列抵抗Ｒ１が小さく、かつ、等価インダクタンスの小さい音叉型振動子を備えた超小型の圧電（水晶）ユニットと、増幅器と、コンデンサと抵抗とを備えて発振器は構成されるので、超小型の発振器でありながら消費電流（Ｒ１に大略比例する）が従来のものと遜色ないという優れた作用効果がもたらされる。加えて、その発振器を備えて構成される電子機器は電子機器の設計において自由度が増し、より多くの情報を備えた電子機器が実現できるという作用効果が奏される。
【発明を実施するための最良の形態】
【００１１】  以下、本発明の実施の形態に係わる水晶などの圧電材料から形成される圧電振動子と圧電ユニットを図面に基づき具体的に述べる。
【実施１の形態に係わる音叉型振動子】
【００１２】  図１は本発明の実施１の形態に係わる屈曲モードで振動する音叉型振動子１００の平面図を示す。例えば、音叉型振動子１００は、圧電材料から形成される音叉型圧電振動子、あるいは、水晶から形成される音叉型水晶振動子である。図１では、音叉腕に配置される電極と、基部部分に配置される電極とフレームに配置される電極は省略されている。音叉型振動子１００は基部部分３０と、その基部部分３０に接続された音叉腕１０と音叉腕２０と、基部部分３０に接続された接続部分４０と、その接続部分４０に接続された第３枠部分３と、その第３枠部分３に接続された第１枠部分１と第２枠部分２と、その第１枠部分１と第２枠部分２に接続された第４枠部分４とを備えて構成される。それ故、枠は第１枠部分から第４枠部分で構成されている。
【００１３】  すなわち、基部部分３０は接続部分４０を介して第３枠部分３に接続されている。詳細には、基部部分３０の側面が接続部分４０の側面に接続され、接続部分４０の他の側面が第３枠部分３の側面に接続されている。さらに、音叉腕１０は第１振動部１１と第２振動部１３とを少なくとも備えている。第１振動部１１は第１幅Ｗと第１長さＬとを少なくとも備え、第２振動部１３は第１幅Ｗより大きい第２幅Ｗｅと第１長さＬより小さい第２長さＬｅとを少なくとも備えている。加えて、第１振動部１１の上面に溝１２が、下面に溝３２（図示されていない）が形成されている。同様に、音叉腕２０は第１振動部２１と第２振動部２３とを少なくとも備えている。第１振動部２１は第１幅Ｗと第１長さＬとを少なくとも備え、第２振動部２３は第１幅Ｗより大きい第２幅Ｗｅと第１長さＬより小さい第２長さＬｅとを少なくとも備えている。加えて、第１振動部２１の上面に溝２２が、下面に溝４２（図示されていない）が形成されている。
【００１４】  詳述するならば、音叉腕１０、２０の各音叉腕は第１振動部と第２振動部を備え、第１振動部は第１幅Ｗと第１長さＬとを有し、第１振動部の第１長さＬは第２振動部の第２長さＬｅより大きく、第１振動部の第１幅Ｗは第２振動部の第２幅Ｗｅより小さくなる寸法を有し、第１振動部の第１幅Ｗは０．０３ｍｍより大きく、かつ、０．０５ｍｍより小さく、好ましくは、０．０３５ｍｍから０．０４８ｍｍの範囲内にある。また、第１振動部の第１長さＬは０．３ｍｍから０．７５ｍｍの範囲内にあり、好ましくは、０．３２ｍｍから０．７２ｍｍの範囲内にある。さらに、第２振動部の第２幅Ｗｅと第２長さＬｅとの間には、Ｗｅ＜ＬｅあるいはＷｅ＝Ｌｅの関係があり、第２幅Ｗｅは０．１２ｍｍから０．２６ｍｍの範囲内に、第２長さＬｅは０．１５ｍｍより大きく、かつ、０．５ｍｍより小さい、好ましくは、０．１７ｍｍから０．３８ｍｍの範囲内にある。
【００１５】  また、第１枠部分１と音叉腕２０の第１振動部分２１との間の間隔をＷ５（図示されていない）で定義され、第２枠部分２と音叉腕１０の第１振動部分１１との間の間隔をＷ６（図示されていない）で定義されるとき、Ｗｅ＞Ｗ５、Ｗ６の関係を備え、間隔Ｗ５と間隔Ｗ６の各々は０．０２ｍｍから０．１８ｍｍの範囲内にあり、好ましくは、０．０３ｍｍから０．１６ｍｍの範囲内にある。さらに、間隔Ｗ３と間隔Ｗ５と間隔Ｗ６との間には、Ｗ３＜Ｗ５、Ｗ６の関係があり、間隔Ｗ３は０．０１５ｍｍから０．１ｍｍの範囲内にある。好ましくは、０．０２ｍｍから０．０７ｍｍの範囲内に、より好ましくは、０．０３５ｍｍから０．０６５ｍｍの範囲内にある。
【００１６】  加えて、音叉腕１０の第１振動部１１と音叉腕２０の第１振動部２１の間にある間隔をＷ７（図示されていない）で定義されると、音叉腕１０、２０の各音叉腕の第２振動部の第２幅Ｗｅと間隔Ｗ７との間には、Ｗｅ＝Ｗ７あるいはＷｅ≠Ｗ７の関係を備える。すなわら、Ｗｅ＞Ｗ７あるいはＷｅ＜Ｗ７．また、間隔Ｗ７と間隔Ｗ５と間隔Ｗ６との間には、Ｗ７＞Ｗ５、Ｗ６の関係を備えている。さらに、基部部分３０は幅Ｗ２と長さＬ２を、接続部分４０は幅Ｗ１と長さＬ１を有している。加えて、第１枠部分１は外側の寸法ａと内側の寸法Ａと幅Ｆ１を、第２枠部分２は外側の寸法ｂと内側の寸法Ｂと幅Ｆ２を、第３枠部分３は外側の寸法ｃと内側の寸法Ｃと幅Ｆ３を、そして、第４枠部分４は外側の寸法ｄと内側の寸法Ｄと幅Ｆ４を有している。
【００１７】  さらに、音叉腕１０の第２振動部１３と音叉腕２０の第２振動部２３の間の間隔Ｗ３で、音叉腕１０の第２振動部１３と第２枠部分２の間の間隔Ｗ４で与えられる。同様に、音叉腕２０の第２振動部２３と第１枠部分１の間も間隔Ｗ４で与えられる。加えて、第４枠部分４と音叉腕１０の第２振動部１３との間の間隔Ｌ３で、同様に、第４枠部分４と音叉腕２０の第２振動部２３との間も間隔Ｌ３で与えられる。すなわち、間隔Ｌ３は音叉腕１０の先端部と第４枠部分４の間隔で、かつ、音叉腕２０の先端部と第４枠部分４の間隔でもある。さらに、基部部分３０と第１枠部分１との間の間隔がＷ８（図示されていない）で与えられ、基部部分３０と第２枠部分２との間の間隔がＷ９（図示されていない）で与えられる。
【００１８】  さらに詳述するならば、間隔Ｗ４はＷ４＝Ｗ３またはＷ４≠Ｗ３の関係を備え、すなわち、Ｗ４＞Ｗ３またはＷ４＜Ｗ３の関係を備え、間隔Ｗ４は０．０１ｍｍより大きく、かつ、０．２ｍｍより小さく、好ましくは、０．０１２ｍｍから０．１８ｍｍの範囲内に、より好ましくは、０．０２５ｍｍから０．１ｍｍの範囲内にある。さらに、間隔Ｌ３はＬ３＝Ｗ４またはＬ３≠Ｗ４の関係を備え、すなわち、Ｌ３＞Ｗ４またはＬ３＜Ｗ４の関係を備え、Ｌ３は０．０１ｍｍより大きく、かつ、０．２ｍｍより小さく、好ましくは、０．０１５ｍｍから０．１８ｍｍの範囲内にあり、より好ましくは、０．０２５ｍｍから０．１ｍｍの範囲内にある。また、基部部分と枠、第２振動部分と枠との間のエッチング加工を容易にするために、Ｗ３、Ｗ４≠Ｗ８、Ｗ９の関係を備えている。すなわち、Ｗ３、Ｗ４＜Ｗ８、Ｗ９の関係、あるいは、Ｗ３、Ｗ４＞Ｗ８、Ｗ９の関係を備えている。
【００１９】  さらに、基部部分３０の長さＬ２は間隔Ｌ３より大きく、または等しく、すなわち、Ｌ２＞Ｌ３またはＬ２＝Ｌ３の関係を有し、また、接続部分４０の長さＬ１と間隔Ｌ３は等しいか、または異なる寸法を有する。換言するならば、Ｌ１＝Ｌ３またはＬ１≠Ｌ３、すなわち、Ｌ１＞Ｌ３またはＬ１＜Ｌ３の関係を有する。加えて、Ｌ２＜Ｌ３の関係を備えていても良い。
【００２０】  また、音叉腕１０と音叉腕２０の各音叉腕の第１振動部の幅Ｗと長さＬの比（Ｗ／Ｌ）は０．０９８より大きく、好ましくは、０．０９８１から０．１１の範囲内にある。あるいは、比（Ｗ／Ｌ）は０．０９７より小さく、好ましくは、０．０８８から０．０９６８の範囲内にある。加えて、Ｗ７／Ｌ３は１．２から５．５の範囲内に、好ましくは、１．５から４．８の範囲内に、あるいは１．８５から４．９７の範囲内に、より好ましくは、２．１から３．８の範囲内にある。
【００２１】  さらに、音叉腕１０と音叉腕２０の各音叉腕の第２振動部の第２長さＬｅと基部部分３０の長さＬ２と第３枠部分３の幅Ｆ３との間には、Ｌｅ＞Ｌ２、Ｆ３の関係が存在する。また、接続部分４０の幅Ｗ１と基部部分３０の幅Ｗ２と第３枠部分３の内側側面の長さＣとの間には、Ｗ１＜Ｗ２、Ｃの関係を備えている。また、幅Ｗ１は０．０４ｍｍより大きく、かつ、０．２ｍｍより小さい、好ましくは、０．０４５から０．１８ｍｍの範囲内に、より好ましくは、０．０４５ｍｍから０．０９３ｍｍの範囲内にある。さらに、
【００２２】  加えて、基部部分３０の長さＬ２と接続部分４０の長さＬ１と第３枠部分３の幅Ｆ３との間には、Ｌ２＞Ｌ１、Ｆ３の関係が存在し、長さＬ２は０．０２５ｍｍから０．１２ｍｍの範囲内に、好ましくは、０．０２５ｍｍから０．０８ｍｍの範囲内に、より好ましくは、０．０２５ｍｍから０．０７８ｍｍの範囲内にある。また、長さＬ１は０．０１ｍｍより大きく、かつ、０．１２ｍｍより小さい、好ましくは、０．０１５ｍｍから０．０８ｍｍの範囲内に、より好ましくは、０．０１５ｍｍから０．０４ｍｍの範囲内にある。
【００２３】  また、枠の枠部分の幅Ｆ１、Ｆ２、Ｆ３、Ｆ４の４個の幅は、通常はＦ１＝Ｆ２＝Ｆ３＝Ｆ４の関係を備える。しかし、ユニットの長さ寸法を小さく、かつ、衝撃に強いユニットを得るために、Ｆ１、Ｆ２＞Ｆ３、Ｆ４の関係がある。詳細には、Ｆ１及び／又はＦ２は０．１ｍｍから０．３２ｍｍの範囲内に、好ましくは、０．１５ｍｍから０．２９ｍｍの範囲内にある。より好ましくは、０．１８ｍｍから０．２９ｍｍの範囲内にある。
【００２４】  さらに、枠部分の４個の幅すべて異なった幅でも良いし、あるいは４個の幅の内少なくとも１個の幅が異なっていても良い。第１の例では、第４枠部分４の幅Ｆ４が異なる場合には、Ｆ４≠Ｆ１、Ｆ２、Ｆ３の関係を有する。この場合には、Ｆ１、Ｆ２、Ｆ３の全てが等しいか、あるいは、Ｆ１、Ｆ２、Ｆ３のすべてが異なっているか、あるいは、Ｆ１、Ｆ２、Ｆ３の２個が等しく、１個が異なっている。例えば、Ｆ１＝Ｆ２＞Ｆ３、あるいは、Ｆ１＝Ｆ２＜Ｆ３の関係がある。
【００２５】  また、第２の例では、第３枠部分３の幅Ｆ３が異なる場合には、第３枠部分３の幅Ｆ３が異なる場合には、Ｆ３≠Ｆ１、Ｆ２、Ｆ４の関係を有する。この場合には、Ｆ１、Ｆ２、Ｆ４の全てが等しいか、あるいは、Ｆ１、Ｆ２、Ｆ４のすべてが異なっているか、あるいは、Ｆ１、Ｆ２、Ｆ４の２個が等しく、１個が異なっている。例えば、Ｆ１＝Ｆ２＞Ｆ４、あるいは、Ｆ１＝Ｆ２＜Ｆ４の関係がある。
【００２６】  さらに、第３枠部分３の幅Ｆ３と第４枠部分４の幅Ｆ４が異なるときには、Ｆ３≠Ｆ４、すなわち、Ｆ３＞Ｆ４あるいはＦ３＜Ｆ４の関係がある。
【００２７】  例えば、Ｆ４は０．００１ｍｍから０．１２ｍｍの範囲内にある。好ましくは、０．００１ｍｍから０．０５ｍｍの範囲内にある。より好ましくは、０．０１ｍｍより大きく、０．０５ｍｍより小さい。その結果、ユニットの長さ寸法を小さくできるので、実装面積の小さい小型のユニットが実現できるという作用効果が奏される。
【００２８】  加えて、Ｆ３＞Ｆ４の場合には、比（Ｆ３／Ｆ４）は１５０より小さく、好ましくは、１より大きく、１００より小さい。より好ましくは、１．２から５８の範囲内にある。さらに好ましくは、１．２５から２０の範囲内にある。
【００２９】  特に、長さ寸法を小さくして小型化を図るには、Ｆ１、Ｆ２はＦ３、Ｆ４と異なる幅を有し、好ましくは、Ｆ１、Ｆ２がＦ３、Ｆ４より大きく、すなわち、Ｆ１、Ｆ２＞Ｆ３、Ｆ４の関係を備え、Ｆ３とＦ４はＦ３＞Ｆ４、または、Ｆ３＝Ｆ４、または、Ｆ３＜Ｆ４のいずれかの関係を備えている。
【００３０】  加えて、第４枠部分４の幅Ｆ４はＦ４＞Ｌ１、Ｌ３、Ｗ３、Ｗ４の関係を有し、また、第１枠部分１の幅Ｆ１と第２枠部分２の幅Ｆ２はＦ１、Ｆ２＞Ｌ１、Ｌ２、Ｌ３、Ｗ３の関係を有する。この場合には、Ｆ１＝Ｆ２またはＦ１≠Ｆ２の関係を有する。すなわち、Ｆ１＞Ｆ２またはＦ１＜Ｆ２の関係を有する。また、Ｗｅ＞Ｆ４の関係を備えている。
【００３１】  本発明は上記した関係に限定されるものではなく、Ｆ１、Ｆ２＜Ｆ３、Ｆ４の関係であっても良い。さらに、Ｆ４＝Ｌ２あるいはＦ４≠Ｌ２の関係を備えている。すなわち、Ｆ４＞Ｌ２あるいはＦ４＜Ｌ２の関係を備えている。加えて、音叉腕の方向の寸法を小さくするためには、Ｆ４≦Ｌ１、Ｌ３、Ｗ３、Ｗ４との関係を有しても良い。加えて、Ｆ１、Ｆ２≧Ｗ、あるいは、Ｆ１、Ｆ２＜Ｗの関係を備えている。
【００３２】  また、第１枠部分１から第４枠部分４の各枠部分の外側（外側側面）の長さの和が第１長さ寸法Ｌｏで定義されると、Ｌｏ＝ａ＋ｂ＋ｃ＋ｄで与えられる。本発明の実施１の形態では、最大辺の長さ及び／又は実装面積を従来のユニットより小さくすることを目的にしているので、最大辺の長さが１．３５ｍｍに等しいか、あるいは、１．３５ｍｍより小さい寸法に限定される。この寸法は電子機器等に搭載されている従来の音叉型水晶振動子を搭載したユニットの最大辺の長さ（１．６ｍｍ）より、約１５．６％短い寸法である。
【００３３】  加えて、従来の音叉型水晶振動子を搭載した水晶ユニットの従来の実装面積（長さ１．６ｍｍｘ幅１ｍｍ＝１．６ｍｍ２）と遜色のない実装面積を、あるいは、より小さい実装面積を得るには、第１長さ寸法Ｌｏは５ｍｍに等しいか、あるいは、５ｍｍより小さい寸法に限定される。寸法Ｌｏが５ｍｍの場合、最大となる実装面積は約１．５６３ｍｍ２となり、従来のものと比較しても遜色がない。もちろん、Ｌｏが５ｍｍより小さいときには、その最大の実装面積より小さくなることは言うまでもない。
【００３４】  さらに、第１枠部分１から第４枠部分４の各枠部分の内側（内側側面）の長さの和が第２長さ寸法Ｌｉで定義されると、Ｌｉ＝Ａ＋Ｂ＋Ｃ＋Ｄで与えられる。そのＬｉの中に、そのＬｉの寸法に応じた音叉型振動子が収納されることは言うまでもない。図３はＬｉと音叉型振動子の等価直列抵抗Ｒ１の変化ΔＲ＝ΔＲ１／Ｒ１との関係を示す。図３では、Ｌｉ＝４．４ｍｍのときに収納される音叉型振動子のＲ１で規挌化されている。
【００３５】  即ち、Ｌｉ＝４．４ｍｍのとき、ΔＲ＝０である。また、Ｌｉ＝４．１ｍｍのときには、ΔＲ＝０．４５％、Ｌｉ＝３．７ｍｍのときには、ΔＲ＝１．０５％、Ｌｉ＝３．３ｍｍのときには、ΔＲ＝１．６５％、Ｌｉ＝３ｍｍのときには、ΔＲ＝２．１％、Ｌｉ＝１．６ｍｍのときには、ΔＲ＝４．９％と、Ｌｉが小さくなるにつれて、ΔＲは徐々に大きくなるが、従来のものと比較しても遜色のないものが得られる。
【００３６】  しかし、Ｌｉがさらに小さいＬｉ＝１．４ｍｍのときには、ΔＲは２３％と急激に大きく、さらに、Ｌｉがより小さいＬｉ＝１．２ｍｍのときには、ΔＲは６２％とさらに急激に大きくなる。この関係から、Ｌｉは１．６ｍｍに限定される。すなわち、この限定により従来のものと遜色ないものが得られる。
【００３７】  上述したように、図３では、ＬｉはＬｉ＝１．６ｍｍ〜４．４ｍｍの範囲内にあるが、本発明はこれに限定されるものでなく、この数値の範囲内であれば任意の数値の範囲内でも本発明に含まれる。例えば、Ｌｉ＝１．６ｍｍ〜４．１ｍｍの範囲内に、あるいは、Ｌｉ＝１．６ｍｍ〜３．７ｍｍの範囲内に、あるいは、Ｌｉ＝１．６ｍｍ〜３．３ｍｍの範囲内に、あるいは、Ｌｉ＝１．６ｍｍ〜３ｍｍの範囲内にある。もちろん、これらの場合でも、等価直列抵抗Ｒ１の変化ΔＲ（等価直列抵抗Ｒ１）が小さいユニットが実現できることは言うまでもない。
【００３８】  さらに他の例として、Ｌｉは１．７５ｍｍから３．７５ｍｍの範囲内に、あるいは、Ｌｉは２．０５ｍｍから３．８５の範囲内に、あるいは、Ｌｉ＝３ｍｍ〜４．４ｍｍの範囲内に、あるいは、Ｌｉ＝３ｍｍ〜４．１ｍｍの範囲内に、あるいは、Ｌｉ＝３ｍｍ〜３．７ｍｍの範囲内に、あるいは、Ｌｉ＝３ｍｍ〜３．３ｍｍの範囲内にある。もちろん、これらの場合でも、小さい実装面積と等価直列抵抗Ｒ１の変化ΔＲ（等価直列抵抗Ｒ１）が小さいユニットが実現できることは言うまでもない。
【００３９】  また、音叉腕の幅が一様な音叉型振動子の音叉腕の幅をＷ０、音叉腕の長さをＬ０とすると、周波数ｆはｆ＝ｋ（Ｗ０／Ｌ０２）の関係がある。ただし、ｋは境界条件によって決まる定数である。それ故、この関係を考慮して、かつ、少なくとも第１幅とその幅より大きい第２幅とを備えた音叉腕、すなわち、２個以上の異なる幅を備えた音叉腕の最大の幅をＷｍ、音叉腕の長さをＬｍとすると、Ｗｍ／Ｌｍが、好ましくは、０．１１２から０．２８の範囲内に、より好ましくは、０．１１５から０．１６８の範囲内に、あるいは、０．１７６から０．２６の範囲内で、振動漏れが少なく、かつ、等価直列抵抗Ｒ１と等価インダクタンスＬ１が小さい音叉型振動子を得ることができる。
【００４０】  さらに、基部部分と音叉腕とから成る音叉型振動子の場合には、Ｗｏｖ／Ｌｏｖが、好ましくは、０．２５から０．６９の範囲内で、より好ましくは、０．２９から０．３４５の範囲内で、あるいは、０．３６５から０．５８の範囲内で、振動漏れが少なく、かつ、等価直列抵抗Ｒ１と等価インダクタンスＬ１が小さい音叉型振動子を得ることができる。ただし、Ｗｏｖは音叉型振動子の全幅で、その全幅は最大となる値を有し、Ｌｏｖは音叉型振動子の全長である。
【００４１】  また、比ＷＬｏｖ＝Ｗｏｖ／Ｌｏｖと第２長さ寸法Ｌｉとの間には密接な関係が存在する。すなわち、衝撃に対して強く、実装面積が小さいユニットを得るには、好ましくは、Ｗｏｖ／Ｌｏｖ＝Ｄ／Ａ、及び／又は、Ｗｏｖ／Ｌｏｖ＝Ｄ／Ｂの関係が存在する。ただし、一般的には、Ａ＝ＢとＣ＝Ｄ及び／又はＡ、Ｂ≧Ｃ、Ｄとの関係があるので、この関係が通常は考慮される。また、Ａ、Ｂ＞Ｌｏｖの関係があることは言うまでもない。
【００４２】  詳細には、Ｗｏｖ／Ｌｏｖ＝Ｄ／Ａが０．２５から０．６９の範囲内にあり、Ｌｉが１．６ｍｍから４．４ｍｍの範囲内にあるので、Ｄ／Ａ＝０．２５とＬｉ＝１．６ｍｍの関係から、Ａ＝０．６４ｍｍが得られる。また、Ｄ／Ａ＝０．６９とＬｉ＝４．４ｍｍの関係から、Ａ＝１．３ｍｍが得られる。すなわち、Ａ及び／又はＢは０．６４ｍｍから１．３ｍｍの範囲内にある。同様に、Ｌｉが１．６ｍｍから４．２ｍｍの範囲内にあるときには、Ａ及び／又はＢは０．６４ｍｍから１．２４ｍｍの範囲内にある。
【００４３】  その結果、衝撃に強く、実装面積が小さく、かつ、振動漏れが少なく、等価直列抵抗Ｒ１（等価直列抵抗Ｒ１の変化ΔＲ）と等価インダクタンスＬ１が小さい音叉型振動子を備えた、最大辺の長さが１．３５ｍｍ以下のユニットが実現できる。すなわち、ユニットの長さ寸法が１．３５ｍｍより小さいユニットが実現できる。
【００４４】  さらに詳細に述べるならば、Ｗｏｖ／Ｌｏｖは０．２５から０．６９の範囲内に、Ｌｉは１．６ｍｍから４．４ｍｍの範囲内に、Ａ及び／又はＢは０．６４ｍｍから１．３ｍｍの範囲内にある。好ましくは、０．６４ｍｍから１．２４ｍｍの範囲内に、より好ましくは、０．６４ｍｍから１．１９ｍｍの範囲内に、さらに好ましくは、０．７２ｍｍから１．１４ｍｍの範囲内にある。
【００４５】  また、他の例として、Ｗｏｖ／Ｌｏｖは０．２５から０．６９の範囲内に、Ｌｉは１．６ｍｍから４．１ｍｍの範囲内に、Ａ及び／又はＢは０．６４ｍｍから１．２１ｍｍの範囲内にある。好ましくは、０．７２ｍｍから１．１４ｍｍの範囲内にある。より好ましくは、０．７２ｍｍから１．１ｍｍの範囲内にある。
【００４６】  同様に、Ｗｏｖ／Ｌｏｖは０．２５から０．６９の範囲内に、Ｌｉは１．６ｍｍから３．７ｍｍの範囲内に、Ａ及び／又はＢは０．６４ｍｍから１．０９ｍｍの範囲内にある。好ましくは、０．７２ｍｍ〜１．０９ｍｍの範囲内に、より好ましくは、０．７２ｍｍから１ｍｍの範囲内にある。
【００４７】  さらに、Ｗｏｖ／Ｌｏｖは０．２５から０．６９の範囲内に、Ｌｉは１．６ｍｍから３．３ｍｍの範囲内に、Ａ及び／又はＢは０．６４ｍｍから０．９８ｍｍの範囲内にある。
【００４８】  加えて、Ｗｏｖ／Ｌｏｖは０．２５から０．６９の範囲内に、Ｌｉは１．６ｍｍから３ｍｍの範囲内に、Ａ及び／又はＢは０．６４ｍｍから０．８９ｍｍの範囲内にある。
【００４９】  さらに他の例として、Ｗｏｖ／Ｌｏｖは０．２９から０．３４５の範囲内に、Ｌｉは１．７５ｍｍから３．７５ｍｍの範囲内に、Ａ及び／又はＢは０．６８ｍｍ〜１．１２ｍｍの範囲内にある。好ましくは、０．６８ｍｍ〜１．０８ｍｍ。
【００５０】  同様に、Ｗｏｖ／Ｌｏｖは０．３６５から０．５８の範囲内に、Ｌｉは２．０５ｍｍから３．８５の範囲内に、Ａ及び／又はＢは０．７５ｍｍ〜１．１ｍｍの範囲内にある。好ましくは、０．７５ｍｍから１．０５ｍｍの範囲内にある。
【００５１】  上述された関係においても、衝撃に強く、実装面積が小さく、かつ、振動漏れが少なく、等価直列抵抗Ｒ１（等価直列抵抗Ｒ１の変化ΔＲ）と等価インダクタンスＬ１が小さい音叉型振動子を備えた、最大辺の長さが１．３５ｍｍより小さいユニットが実現できるという作用効果が奏される。
【００５２】  なお、上述された、Ｗｏｖ／ＬｏｖとＬｉとＡ及び／又はＢの関係は、それらを組み合わせても良く、本発明に含まれる。と共に、上述された作用効果が奏される。
【００５３】  本実施の形態では、Ａ＝ＢとＣ＝Ｄの関係を用いたが、ＡとＢとの差と、ＣとＤとの差がそれぞれ著しく大きくなければ、すなわち、若干の差であるときには、上記関係が成り立ち本発明に含まれる。
【００５４】  また、第１長さ寸法Ｌｏと第２長さ寸法Ｌｉとの差が、寸法差Ｌｏｉ＝Ｌｏ−Ｌｉで定義される。図４は寸法差Ｌｏｉと周波数の変化Δｆ＝Δｆ１／ｆ１との関係を示す。図４では、Ｌｏｉ＝３．６ｍｍのときに収納される音叉型振動子の周波数ｆ１で規格化されている。すなわち、Ｌｏｉ＝３．６ｍｍのとき、Δｆ＝０である。また、Ｌｏｉ＝０．８ｍｍに等しいか、あるいは、それより大きい、Ｌｏｉ＝１．５ｍｍ、Ｌｏｉ＝２．４ｍｍのときには、周波数変化Δｆはほとんどなく、安定している。
【００５５】  しかし、Ｌｏｉ＝０．６５ｍｍのときには、Δｆ＝０．１１５％と、周波数は急激に変化する。この理由の一つとして、振動漏れによる振動エネルギーの損失が考えられる。この周波数変化を振動エネルギーの損失に換算すると、約０．２３％の漏れに相当する。それ故、Ｌｏｉの下限値は０．８ｍｍに限定され、Ｌｏｉ＝０．８ｍｍとＬｉ＝１．６ｍｍの関係から第１長さ寸法Ｌｏの下限値は２．４ｍｍに限定される。
【００５６】  同様に、Ｌｏｉ＝０．８ｍｍとＬｏ＝５ｍｍの関係から第２長さ寸法Ｌｉの上限値は４．２ｍｍに限定される。換言するならば、第１長さ寸法Ｌｏは２．４ｍｍから５ｍｍの範囲内にあり、第２長さ寸法Ｌｉは１．６ｍｍから４．２ｍｍの範囲内にある。また、Ｌｏｉは０．８ｍｍから３．６ｍｍの範囲内にある。換言するならば、Ｌｏｉは３．６ｍｍに等しいか、あるいは３．６ｍｍより小さい値を有し、かつ、０．８ｍｍに等しいか、あるいは、０．８ｍｍより大きい値を有する。その結果、周波数変化のない音叉型振動子を備えた実装面積の小さい、小型のユニットが得られるという効果が奏される。
【００５７】  以上、詳細に述べたが、本発明は上記数値限定のユニットに限定されるものでなく、特に、等価直列抵抗Ｒ１と等価インダクタンスＬ１のより小さいユニットが要求されるときには、音叉型振動子のサイズを少し大きくすれば良い。すなわち、第２長さ寸法Ｌｉの上限値を４．２ｍｍから少し長い４．４ｍｍにすればよい。この場合には、Ｌｏｉ＝０．８ｍｍとＬｉ＝４．４ｍｍの関係から第１長さ寸法Ｌｏの上限値は５ｍｍから５．２ｍｍに限定される。
【００５８】  その結果、等価直列抵抗Ｒ１と等価インダクタンスＬ１のより小さいユニットが実現できる。この場合のユニットの最大の実装面積は１．６９ｍｍ２となり、従来のユニットの実装面積１．６ｍｍ２と遜色がないことが分かる。なお、枠（ユニット）の最大の長さ寸法の下限値は第１長さ寸法Ｌｏ＝２．４ｍｍから決められる。すなわち、耐衝撃性や実装性を考慮して、その下限値は０．９５ｍｍとなる。換言するならば、ユニットの最大の辺の寸法は０．９５ｍｍから１．３５ｍｍの範囲内にある。実装面積を小さくするために、好ましくは、０．９５ｍｍから１．１ｍｍの範囲内にある。
【００５９】  実施１の形態に係わる音叉型振動子では、Ａ＝Ｂ及び／又はＣ＝Ｄの関係を備えているが、本発明はこれに限定されるものではなく、Ａ≠Ｂ及び／又はＣ≠Ｄの関係を備えていても良い。換言するならば、Ａ＞ＢあるいはＡ＜Ｂ及び／又は  Ｃ＞ＤあるいはＣ＜Ｄの関係を備えている。また、Ｃ、Ｄは０．３２ｍｍから０．８ｍｍの範囲内に、好ましくは、０．３２ｍｍから０．７５ｍｍの範囲内に、より好ましくは、０．３５ｍｍから０．４８ｍｍの範囲内に、あるいは、０．５５ｍｍから０．６５ｍｍの範囲内にある。
【００６０】  すなわち、第１長さ寸法と第２長さ寸法を限定することにより、音叉型振動子とケースと蓋から成る圧電ユニットの実装面積が極めて小さく、等価インダクタンスＬ１が小さく、小さい容量比と小さい等価直列抵抗Ｒ１と、エージング特性に優れ、かつ、衝撃に強く、振動漏れによるエネルギー損失の小さい音叉型振動子が得られるという作用効果が奏される。加えて、本音叉型振動子を搭載した発振器の出力信号の起動時間が短くなるという著しい作用効果がもたらされる。
【００６１】  また、音叉型振動子１００の音叉腕１０、２０と基部部分３０と接続部分４０と第１枠部分１から第４枠部分４は一体に形成される。加えて、本実施１の形態の音叉型振動子１００は２本の音叉腕を示しているが、３本以上であっても良い。すなわち、少なくとも、２本の音叉腕を備えている。さらに、基部部分３０は接続部分４０を介して第３枠部分３に接続されているが、本発明はこれに限定されるものでなく、基部部分３０が直に第３枠部分３に接続されても本発明に含まれる。
【００６２】  本実施１の形態に係わる音叉型振動子では第１振動部と第２振動部を備えているが、本発明はこれに限定されるものではない。すなわち、第１振動部と第２振動部の間に、第３振動部または第３振動部と第４振動部を含む幅の異なる２個以上の振動部を形成しても良い。換言するならば、第３振動部と第４振動部と第５振動部と第６振動部と・・・とＮ１振動部、ただし、Ｎ１は７以上の整数である。例えば、Ｎ１＝１０の場合には、第３振動部から第１０振動部を備えている。すなわち、第３振動部から第Ｎ２振動部を備えている。ただし、Ｎ２は４以上の整数である。
【００６３】  第１の例では、少なくとも第３振動部が第１振動部と第２振動部の間に形成される場合には、第３振動部の第３幅は第１振動部の第１幅Ｗより大きく、かつ、第２振動部の第２幅Ｗｅより小さい。また、第３振動部の第３長さは第１振動部の第１長さＬより小さく、かつ、第２振動部の第２長さＬｅより小さい。また、第２振動部の第２長さＬｅと第３振動部の第３長さの和が長さＬ４で定義されると、長さＬ４は第１振動部の第１長さＬより小さい。第３振動部が第１振動部と第２振動部の間にある場合には、音叉腕１０と音叉腕２０の各音叉腕の比（Ｗｅ／Ｗ）は３．３から６．１の範囲内に、好ましくは、３．３から５．９の範囲内にある。加えて、各音叉腕の全体の長さＬｔ（＝Ｌ＋Ｌｅ）は０．４５ｍｍから０．９２ｍｍの範囲内にある。好ましくは、０．４５ｍｍから０．８８ｍｍの間にある。
【００６４】  すなわち、音叉型振動子を搭載した発振器では、その発振器の出力信号が一定の値になる時間は振動子形状と寸法と密接な関係がある。それ故、本発明では出力信号が一定の値となるその値の約８０％に達するまでの時間を立ち上がり時間、あるいは起動時間という。音叉腕１０と音叉腕２０の各音叉腕の比（Ｗｅ／Ｗ）が３．３で、長さＬｔが０．４５ｍｍのとき、起動時間が約０．３秒となり、比（Ｗｅ／Ｗ）が６．１で、かつ、Ｌｔが０．９２ｍｍのとき、起動時間が約０．７秒となり、音叉型振動子を従来のものより小型化しても起動時間の短い発振器が得られるという作用効果が奏される。この結果は従来の大きなものと比較しても遜色のない結果であることは言うまでもない。
【００６５】  第２の例では、少なくとも第３振動部と第４振動部が第１振動部と第２振動部の間に形成される場合には、第３振動部の第３幅と第４振動部の第４幅の各幅、あるいは少なくとも一方の幅は第１振動部の第１幅Ｗより大きく、かつ、第２振動部の第２幅Ｗｅより小さい。また、第３振動部の第３長さと第４振動部の第４長さの各長さ、あるいは少なくとも一方の長さは第１振動部の第１長さＬより小さく、かつ、第２振動部の第２長さＬｅより小さい。
【００６６】  すなわち、第３振動部から第Ｎ２振動部（Ｎ２は４以上）が第１振動部と第２振動部の間に形成される場合には、第３振動部の第３幅と第Ｎ２振動部の第Ｎ２幅の各幅、あるいは少なくとも１個の振動部の幅は第１振動部の第１幅Ｗより大きく、かつ、第２振動部の第２幅Ｗｅより小さい。加えて、第３振動部の第３長さと第Ｎ２振動部の第Ｎ２長さの各長さ、あるいは少なくとも一個の振動部の長さは第１振動部の第１長さＬより小さく、かつ、第２振動部の第２長さＬｅより小さい。第３振動部と第Ｎ２振動部が第１振動部と第２振動部の間にある場合には、０．３秒から０．７秒の起動時間を得るために、音叉腕１０と音叉腕２０の各音叉腕の比（Ｗｅ／Ｗ）は３．４から６．３の範囲内に、好ましくは、３．４から６．１の範囲内にある。加えて、各音叉腕の全体の長さＬｔ（＝Ｌ＋Ｌｅ）は０．４５ｍｍから０．９２ｍｍの範囲内にある。好ましくは、０．４５ｍｍから０．８８ｍｍの間にある。
【００６７】  本実施１の形態に係わる音叉型振動子では、少なくとも四つの角度を有する四角形をした枠であるが、すなわち、少なくとも第１枠部分から第４枠部分を備えた四個の枠であるが、本発明はこれに限定されるものではなく、五角形以上（少なくとも第１枠部分から第５枠部分を備えた五個以上の枠）の形状をした枠も含まれる。
【００６８】  さらに、本実施１の形態に係わる音叉型振動子の平面図では、四角形をした枠で、その枠の側面部分は直線であるが、本発明はこれに限定されるものでなく、その枠の側面部分が凹及び／または凸の形状をしていても本発明に含まれる。この場合には、第１長さ寸法Ｌｏと第２長さ寸法Ｌｉの各寸法は、平面図における凹部分及び／又は凸部分を含まない側面部分の直線の寸法でも良く、あるいは、凹部分及び／又は凸部分の側面部分の寸法を含んだ寸法でも良い。いずれも本発明に含まれる。
【００６９】  換言するならば、音叉型振動子の平面図では、その枠の側面部分の端部は直線であるが、本発明はこれに限定されるものでなく、その枠の側面部分の端部が凹及び／又は凸の形状をしていても本発明に含まれる。この場合には、第１長さ寸法Ｌｏと第２長さ寸法Ｌｉの各寸法は、平面図における凹部分及び／又は凸部分を含まない側面部分の端部の直線の寸法でも良く、あるいは、凹部分及び／又は凸部分の側面部分の端部の寸法を含んだ寸法でも良い。いずれも本発明に含まれる。
【実施１の形態に係わる圧電ユニット】
【００７０】  図２は本発明の実施１の形態に係わる圧電ユニット２００の側面図である。圧電ユニット２００はすでに述べた実施１の形態に係わる音叉型振動子１００とケース６０と蓋５０とを備えて構成されている。音叉型振動子１００の第１枠部分１はケース６０と蓋５０の間にある。また、ケース６０は内部空間６５を有し、蓋５０も同様に内部空間５５を有している。加えて、音叉型振動子１００は厚みＴ１を、ケース６０は厚みＴ３を有し、そのケースの内部空間６５の深さはＴ５で与えられる。一方、蓋５０は厚みＴ２を有し、その蓋の内部空間５５の深さはＴ４で与えられる。それ故、圧電ユニット２００の厚みＴはＴ＝Ｔ１＋Ｔ２＋Ｔ３で与えられる。Ｔは０．６ｍｍより小さく、好ましくは、０．２ｍｍより大きく、かつ、０．５ｍｍより小さく、より好ましくは、０．２５ｍｍから０．３８ｍｍの範囲内にある。
【００７１】  更に詳述するならば、ケース６０と蓋５０の各々は第１固定部から第４固定部を備えていて、実施１の形態に係わる音叉型振動子１００の第１枠部分がケース６０の第１固定部と蓋の第１固定部に固定される。すなわち、第１枠部分がケースの第１固定部と蓋の第１固定部の間にある（挟まれる）ように第１枠部分は固定される。同様に、音叉型振動子１００の第２枠部分がケース６０の第２固定部と蓋の第２固定部に固定される。すなわち、第２枠部分がケースの第２固定部と蓋の第２固定部の間にある（挟まれる）ように第２枠部分は固定される。
【００７２】  さらに、音叉型振動子１００の第３枠部分がケース６０の第３固定部と蓋の第３固定部に固定される。すなわち、第３枠部分がケースの第３固定部と蓋の第３固定部の間にある（挟まれる）ように第３枠部分は固定される。同様に、音叉型振動子１００の第４枠部分がケース６０の第４固定部と蓋の第４固定部に固定される。すなわち、第４枠部分がケースの第４固定部と蓋の第４固定部の間にある（挟まれる）ように第４枠部分は固定される。また、等価直列抵抗Ｒ１の小さい音叉型振動子を得るために、その振動子は真空中に収納されている。本発明の実施１の形態に係わる圧電ユニット２００も、すでに述べられた第１長さ寸法Ｌｏと第２長さ寸法Ｌｉと寸法差Ｌｏｉを備えていることは言うまでもない。
【００７３】  本実施１の形態に係わる圧電ユニットでは、少なくとも第１枠部分から第４枠部分を備えた音叉型振動子を備えているが、本発明はこれに限定されるものではなく、五角形以上（少なくとも第１枠部分から第５枠部分を備えた五個以上の枠部分）の形状をした枠を備えた音叉型振動子も含まれる。この場合には、ケースと蓋の各々が少なくとも第５固定部を含む五個以上の固定部を備え、音叉型圧電振動子の第５枠部分がケースの第５固定部と蓋の第５固定部に固定される。すなわち、音叉型振動子の第５枠部分がケースの第５固定部と蓋の第５固定部の間にある（挟まれる）ように第５枠部分は固定される。第６枠部分、第７枠部分・・・・など無数の枠部分も同様に固定される。
【００７４】  さらに、音響効果の影響を受けない等価直列抵抗Ｒ１の小さい、等価インダクタンスＬ１が小さく、かつ、衝撃に強い音叉型振動子を備えた圧電ユニットを実現するために、ケースの深さＴ５はＴ５＞Ｔ３／６、Ｔ５＜（３Ｔ３）／４の関係を備えている。同様に、蓋の深さＴ４はＴ４＞Ｔ２／６、Ｔ４＜（３Ｔ２）／４の関係がある。好ましくは、ケースの深さＴ５はＴ５＞Ｔ３／５、Ｔ５＜Ｔ３／２の関係を備えている。同様に、蓋の深さＴ４はＴ４＞Ｔ２／５、Ｔ４＜Ｔ２／２の関係がある。さらに、Ｔ４とＴ５は等しくても、あるいは異なっていても良い。すなわち、Ｔ４＝Ｔ５あるいはＴ４＞Ｔ５またはＴ４＜Ｔ５の関係を備えている。
【００７５】  具体的には、ケース６０の深さＴ５と蓋５０の深さＴ４はそれぞれ０．０１ｍｍから０．２ｍｍの範囲内にある。好ましくは、０．０１５ｍｍから０．１８ｍｍの範囲内に、より好ましくは、０．０２ｍｍから０．１５ｍｍの範囲内にある。また、Ｔ２とＴ３は０．０６ｍｍより大きく、かつ、０．２７ｍｍより小さく、好ましくは、０．０８ｍｍから０．１６ｍｍの範囲内にある。さらに、温度変化による圧電ユニットの音叉型振動子とケースと蓋との間の歪を小さくするために、Ｔ１＝Ｔ２＝Ｔ３の関係を備えている。しかしながら、本発明では、これに限定されることなく、Ｔ１≠Ｔ２、Ｔ３の関係であっても良い。すなわち、Ｔ１＞Ｔ２，Ｔ３またはＴ１＜Ｔ２、Ｔ３、あるいはＴ２＝Ｔ３またはＴ２≠Ｔ３の関係であっても良い。すなわち、Ｔ２＞Ｔ３またはＴ２＜Ｔ３。
【００７６】  さらに、例えば、音叉型振動子は水晶から作られた音叉型水晶振動子、あるいは、圧電材料から作られた音叉型圧電振動子で、また、ケースと蓋は水晶などの結晶材料から作られている。加えて、音叉型振動子とケースと蓋の加工は化学的、物理的、機械的なエッチング法などの少なくとも一つの方法を用いて形成される。また、音叉型水晶振動子とケースと蓋からなる圧電ユニットは特に水晶ユニットと呼ばれる。水晶は圧電材料の一つであることは言うまでもない。
【００７７】  本発明は本実施１の形態に係わる音叉型振動子と本実施１の形態に係わる圧電ユニットに限定されるものでなく、本実施１の形態に係わる音叉型振動子の第１長さ寸法Ｌｏと第２長さ寸法Ｌｉと寸法差Ｌｏｉは、上述された音叉型振動子を含むいろいろな音叉型振動子を収納するケースの寸法にも適用できる。この場合には、音叉型振動子はケースの固定部に固定され、ケース内を真空にするために蓋がケースの開口部に接続される。すなわち、音叉型振動子はケース内に収納されている。
【００７８】  詳述するならば、第１長さ寸法Ｌｏはそのケースの外側（外側側面）の寸法に相当し、第２長さ寸法Ｌｉはそのケースの内側（内側側面）の寸法に相当する。もちろん、寸法差Ｌｏｉはそのケースの外側（外側側面）の第１長さ寸法Ｌｏとそのケースの内側（内側側面）の第２長さ寸法Ｌｉの差で、寸法差Ｌｏｉ＝Ｌｏ−Ｌｉで与えられる。
【００７９】  詳細には、ケースは少なくとも第１ケース部分と第２ケース部分と第３ケース部分と第４ケース部分とを備えて構成され、第１ケース部分と第２ケース部分は第１音叉腕１０と第２音叉腕２０の外側に第１音叉腕１０と第２音叉腕２０と共通の方向に延在して形成されている。加えて、第１ケース部分は第３ケース部分と第４ケース部分を介して第２ケース部分に接続されている。
【００８０】  さらに、第１ケース部分から第４ケース部分の外側側面の長さがそれぞれａ，ｂ，ｃ，ｄ，で与えられ、その和が第１長さ寸法Ｌｏ＝ａ＋ｂ＋ｃ＋ｄで与えられるとき、第１長さ寸法Ｌｏは２．４ｍｍから５ｍｍの範囲内にある。
【００８１】  また、第１ケース部分から第４ケース部分の内側側面の長さがそれぞれＡ，Ｂ，Ｃ，Ｄ，で与えられ、その和が第２長さ寸法Ｌｉ＝Ａ＋Ｂ＋Ｃ＋Ｄで与えられるとき、第２長さ寸法Ｌｉは１．６ｍｍから４．２ｍｍの範囲内にある。そして、第１ケース部分から第４ケース部分の各ケース部分の開口部が蓋に接続されている。
【００８２】  さらに詳細に述べるならば、第１ケース部分は幅Ｆ１を、第２ケース部分は幅Ｆ２を、第３ケース部分は幅Ｆ３を、第４ケース部分は幅Ｆ４を備えている。例えば、音叉型振動子の基部部分、あるいは、基部部分に接続されたフレームの部分がケースの固定部に固定される。また、少なくとも複数の音叉腕（振動腕）が基部部分に接続されている。換言するならば、少なくとも第１音叉腕（振動腕）と第２音叉腕（振動腕）を備えている。
【００８３】  加えて、本実施１の形態で述べられた全ての関係は、音叉型振動子を収納（固定）するケースとそのケースの開口部に接続される蓋とから成るユニットにも適用できる。
【００８４】  さらに、本実施１の形態に係わる音叉型振動子では、音叉型振動子は第１枠部分から第４枠部分を備えているが、本発明はこれに限定されるものではなく、第４枠部分はなくても良い。すなわち、第１枠部分から第３枠部分を備えていても良い。この場合には、音叉型振動子はケース内に収納される。詳細には、第１枠部分がケース内の第１固定部に固定され、第２枠部分がケース内の第２固定部に固定される。また、蓋がケースの開口部を真空中で封止するために、蓋がケースに接続される。
【００８５】  加えて、本実施１の形態に係わる音叉型振動子では、音叉型振動子は第１枠部分から第４枠部分を備えているが、本発明はこれに限定されるものではなく、少なくとも１個の枠（フレーム）を備えていても良い。この場合には、少なくとも１個の枠がケース内の固定部に固定される。また、蓋がケースの開口部を真空中で封止するために、蓋がケースに接続される。
【００８６】  例えば、少なくとも１個の枠（例えば、第３枠部分）は、音叉型振動子の基部部分であっても良いし、あるいは、基部部分に接続されたフレームであっても良い。この場合には、フレームの少なくとも１か所がケースの固定部に固定される。好ましくは、フレームの２ヶ所がケースの固定部に固定される。例えば、フレームの第１フレーム部分がケースの第１固定部に、フレームの第２フレーム部分がケースの第２固定部に固定される。しかし、本発明はこれに限定されるものでなく、フレームの３ヶ所以上がケースの各固定部に固定されても良い。
【００８７】  本実施１の形態に係わる音叉型振動子は、いろいろ適用できることを述べたが、これらもすでに上述された作用効果が奏されることは言うまでもない。
【００８８】  また、本発明の実施１の形態に係わる圧電ユニットは発振器として用いられる。すなわち、発振器を構成する発振回路図は増幅器（ＣＭＯＳインバータ）と、帰還抵抗と、ドレイン抵抗と、複数のコンデンサと音叉型振動子とを備えて構成されている。すなわち、発振回路は増幅器と帰還抵抗とを備えて構成される増幅回路と、ドレイン抵抗とゲート側のコンデンサとドレイン側のコンデンサとケースと蓋あるいはケースに固定された音叉型振動子１００とを備えて構成される帰還回路とを備えて構成される。
【００８９】  詳細には、発振回路は増幅回路と帰還回路を備えて構成されていて、増幅回路は少なくとも増幅器から構成され、帰還回路は少なくとも音叉型振動子とコンデンサとを備えて構成されている。又、発振器の発振回路に用いられる音叉型振動子は容器（ユニット）に収納されている。いわゆる、ユニットが発振回路に用いられる。そして、本発明のユニットを備えた発振器の出力信号は携帯機器やファクシミリなどの電子機器の表示部に時間情報を表示するための信号として用いられる。
【産業上の利用可能性】
【００９０】  本発明の音叉型振動子と圧電ユニットは小型化しても小さい等価直列抵抗Ｒ１と小さい等価インダクタンスＬ１とを備えているので、より小型化された音叉型振動子と圧電ユニットを特に必要とする携帯電話などの携帯機器や民生機器を含む電子機器に適用できる。
【図面の簡単な説明】
【００９１】
【図１】  本発明の実施１の形態に係わる屈曲モードで振動する音叉型振動子の平面図を示す。
【図２】  本発明の実施１の形態に係わる圧電ユニットの側面図を示す。
【図３】  本発明の第２長さ寸法Ｌｉと等価直列抵抗Ｒ１の変化ΔＲとの関係を示す。
【図４】  本発明の寸法差Ｌｏｉと周波数ｆ１の変化Δｆとの関係を示す。
【符号の説明】
【００９２】１００  音叉型圧電振動子
１０，２０  音叉腕
３０  基部部分
４０  接続部分
１〜４  第１フレーム〜第４フレーム
Ｌ    音叉腕の第１振動部分の長さ
Ｌ１  接続部分の長さ、
Ｌ２  基部部分の長さ
Ｗ１  接続部分の幅
Ｗ２  基部部分の幅
Ｆ１〜Ｆ４  第１フレーム〜第４フレームの幅
ａ    第１フレームの外側の長さ寸法
ｂ    第２フレームの外側の長さ寸法
ｃ    第３フレームの外側の長さ寸法
ｄ    第４フレームの外側の長さ寸法
２００  圧電ユニット
５０    蓋
６０    ケース
Ａ    第１フレームの内側の長さ寸法
Ｂ    第２フレームの内側の長さ寸法
Ｃ    第３フレームの内側の長さ寸法
Ｄ    第４フレームの内側の長さ寸法
Ｗｅ  音叉腕の第２振動部の幅
【図１】
2019024185.tif 000003
【図２】
2019024185.tif 000004
【図３】
2019024185.tif 000005
【図４】
2019024185.tif 000006
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
基部部分と、前記基部部分に接続された少なくとも第１音叉腕と第２音叉腕と、枠とを備えて構成され、
第１音叉腕と第２音叉腕の各音叉腕は、少なくとも第１振動部と第２振動部とを備え、第２振動部の幅は第１振動部の幅より大きく、第２振動部の長さは第１振動部の長さより小さく、第１振動部の上面と下面の少なくとも一面に溝が形成され、
前記枠は少なくとも第１枠部分と第２枠部分と第３枠部分と第４枠部分とを備えて構成され、第１枠部分と第２枠部分は第１音叉腕と第２音叉腕の外側に第１音叉腕と第２音叉腕と共通の方向に延在して形成され、第１枠部分は第３枠部分と第４枠部分を介して第２枠部分に接続され、
前記基部部分は接続部分を介して、あるいは直に第３枠部分に接続されていて、
第１音叉腕の第２振動部と第２音叉腕の第２振動部の間の間隔Ｗ３と、第１枠部分と第１音叉腕の第１振動部分との間の間隔Ｗ５と、第２枠部分と第２音叉腕の第１振動部分との間の間隔Ｗ６との間には、Ｗ３＜Ｗ５、Ｗ６の関係を備え、第１音叉腕と第２音叉腕の各音叉腕の第２振動部の長さＬｅと、前記基部部分の長さＬ２と、第３枠部分の幅Ｆ３との間には、Ｌｅ＞Ｌ２、Ｆ３の関係を備え、
第１枠部分から第４枠部分の内側側面の長さがそれぞれＡ，Ｂ，Ｃ，Ｄで与えられ、第２長さ寸法ＬｉがＬｉ＝Ａ＋Ｂ＋Ｃ＋Ｄで与えられるとき、第２長さ寸法Ｌｉは１．６ｍｍから４．２ｍｍの範囲内にあることを特徴とする圧電振動子。
【請求項２】
請求項１において、第１枠部分から第４枠部分の外側側面の長さがそれぞれａ，ｂ，ｃ，ｄで与えられ、第１長さ寸法ＬｏがＬｏ＝ａ＋ｂ＋ｃ＋ｄの関係を備え、ＬｏｉがＬｏｉ＝Ｌｏ−Ｌｉで定義されるとき、Ｌｏｉは０．８ｍｍから３．４ｍｍの範囲内にあることを特徴とする圧電振動子。
【請求項３】
請求項１において、第１枠部分から第４枠部分の外側側面の長さがそれぞれａ，ｂ，ｃ，ｄで与えられ、第１長さ寸法ＬｏがＬｏ＝ａ＋ｂ＋ｃ＋ｄで与えられるとき、第１長さ寸法Ｌｏは２．４ｍｍから５ｍｍの範囲内にあり、第１音叉腕の第１振動部と第２音叉腕の第１振動部の間の間隔Ｗ７と第１音叉腕と第２音叉腕の各音叉腕の第２振動部の幅Ｗｅとの間には、Ｗｅ≧Ｗ７の関係を備えていることを特徴とする圧電振動子。
【請求項４】
請求項１から請求項３のいずれか１項において、第１音叉腕と第２音叉腕の各音叉腕の第２振動部の幅Ｗｅと第４枠部分の幅Ｆ４との間には、Ｗｅ＞Ｆ４の関係を備え、第１枠部分の幅Ｆ１と第２枠部分の幅Ｆ２と第１音叉腕と第２音叉腕の各音叉腕の第１振動部の幅Ｗとの間には、Ｆ１、Ｆ２≧Ｗの関係を備えていて、音叉型振動子の全幅Ｗｏｖと音叉型振動子の全長Ｌｏｖとの比が、ＷＬｏｖ＝Ｗｏｖ／Ｌｏｖで定義され、ＷＬｏｖが０．２５から０．６９の範囲内に、Ａ及び／又はＢは０．６４ｍｍから１．２４ｍｍの範囲内にあることを特徴とする圧電振動子。
【請求項５】
請求項１から請求項４のいずれか１項において、第１音叉腕の第２振動部と第２音叉腕の第２振動部の間の間隔Ｗ３と、第１音叉腕と第２音叉腕の各音叉腕の第２振動部とその第２振動部の幅方向に隣接する枠部分の間の間隔Ｗ４との間には、Ｗ４≠Ｗ３の関係を備えていることを特徴とする圧電振動子。
【請求項６】
請求項１から請求項５のいずれか１項に記載の圧電振動子と、ケースと、蓋と、を備えて構成され、
幅Ｆ４を備えた第４枠部分は幅Ｆ３を備えた第３枠部分と反対の位置に形成され、第１枠部分から第４枠部分がケースと蓋の間にあるように、第１枠部分から第４枠部分がケースと蓋に接続されていることを特徴とする圧電ユニット。
【請求項７】
請求項１から請求項５のいずれか１項に記載の圧電振動子と、ケースと、蓋と、を備えて構成され、
第１音叉腕の第１振動部と第２音叉腕の第１振動部の間の間隔Ｗ７と、第１音叉腕と第２音叉腕の各音叉腕の第２振動部とその第２振動部の長さ方向に隣接する枠部分の間の間隔Ｌ３との比がＷＬ７３＝Ｗ７／Ｌ３で定義されるとき、ＷＬ７３は１．２から５．５の範囲内にあることを特徴とする圧電ユニット。
【請求項８】
請求項６又は請求項７において、第１枠部分と第２枠部分とは互いに反対の位置にあって、第１音叉腕の第２振動部と第２音叉腕の第２振動部の間の間隔Ｗ３と、前記基部部分と第１枠部分との間の間隔Ｗ８と前記基部部分と第２枠部分との間の間隔Ｗ９との間には、Ｗ３＜Ｗ８、Ｗ９の関係を備えていることを特徴とする圧電ユニット。
【請求項９】
請求項１から請求項５のいずれか１項に記載の圧電振動子を、あるいは請求項６から請求項８のいずれか１項に記載の圧電ユニットを備えていることを特徴とする圧電発振器。
【請求項１０】
請求項１から請求項５のいずれか１項に記載の圧電振動子を、あるいは請求項６から請求項８のいずれか１項に記載の圧電ユニットを、あるいは請求項９に記載の圧電発振器を備えていることを特徴とする電子機器。
【手続補正２】
【補正対象書類名】明細書
【補正対象項目名】０００６
【補正方法】変更
【補正の内容】
【０００６】すなわち、本発明の圧電振動子の第１の態様は、基部部分と、前記基部部分に接続された少なくとも第１音叉腕と第２音叉腕と、枠とを備えて構成され、第１音叉腕と第２音叉腕の各音叉腕は、少なくとも第１振動部と第２振動部とを備え、第２振動部の幅は第１振動部の幅より大きく、第２振動部の長さは第１振動部の長さより小さく、第１振動部の上面と下面の少なくとも一面に溝が形成され、前記枠は少なくとも第１枠部分と第２枠部分と第３枠部分と第４枠部分とを備えて構成され、第１枠部分と第２枠部分は第１音叉腕と第２音叉腕の外側に第１音叉腕と第２音叉腕と共通の方向に延在して形成され、第１枠部分は第３枠部分と第４枠部分を介して第２枠部分に接続され、前記基部部分は接続部分を介して、あるいは直に第３枠部分に接続されていて、第１音叉腕の第２振動部と第２音叉腕の第２振動部の間の間隔Ｗ３と、第１枠部分と第１音叉腕の第１振動部分との間の間隔Ｗ５と、第２枠部分と第２音叉腕の第１振動部分との間の間隔Ｗ６との間には、Ｗ３＜Ｗ５、Ｗ６の関係を備え、第１音叉腕と第２音叉腕の各音叉腕の第２振動部の長さＬｅと、前記基部部分の長さＬ２と、第３枠部分の幅Ｆ３との間には、Ｌｅ＞Ｌ２、Ｆ３の関係を備え、第１枠部分から第４枠部分の内側側面の長さがそれぞれＡ，Ｂ，Ｃ，Ｄで与えられ、第２長さ寸法ＬｉがＬｉ＝Ａ＋Ｂ＋Ｃ＋Ｄで与えられるとき、第２長さ寸法Ｌｉは１．６ｍｍから４．２ｍｍの範囲内にある圧電振動子である。
本発明の圧電振動子の第２の態様は、第１の態様において、第１枠部分から第４枠部分の外側側面の長さがそれぞれａ，ｂ，ｃ，ｄで与えられ、第１長さ寸法ＬｏがＬｏ＝ａ＋ｂ＋ｃ＋ｄの関係を備え、ＬｏｉがＬｏｉ＝Ｌｏ−Ｌｉで定義されるとき、Ｌｏｉは０．８ｍｍから３．４ｍｍの範囲内にある圧電振動子である。
本発明の圧電振動子の第３の態様は、第１の態様において、第１枠部分から第４枠部分の外側側面の長さがそれぞれａ，ｂ，ｃ，ｄで与えられ、第１長さ寸法ＬｏがＬｏ＝ａ＋ｂ＋ｃ＋ｄで与えられるとき、第１長さ寸法Ｌｏは２．４ｍｍから５ｍｍの範囲内にあり、第１音叉腕の第１振動部と第２音叉腕の第１振動部の間の間隔Ｗ７と第１音叉腕と第２音叉腕の各音叉腕の第２振動部の幅Ｗｅとの間には、Ｗｅ≧Ｗ７の関係を備えている圧電振動子である。
本発明の圧電振動子の第４の態様は、第１の態様から第３の態様のいずれか１つの態様において、第１音叉腕と第２音叉腕の各音叉腕の第２振動部の幅Ｗｅと第４枠部分の幅Ｆ４との間には、Ｗｅ＞Ｆ４の関係を備え、第１枠部分の幅Ｆ１と第２枠部分の幅Ｆ２と第１音叉腕と第２音叉腕の各音叉腕の第１振動部の幅Ｗとの間には、Ｆ１、Ｆ２≧Ｗの関係を備えていて、音叉型振動子の全幅Ｗｏｖと音叉型振動子の全長Ｌｏｖとの比が、ＷＬｏｖ＝Ｗｏｖ／Ｌｏｖで定義され、ＷＬｏｖが０．２５から０．６９の範囲内に、Ａ及び／又はＢは０．６４ｍｍから１．２４ｍｍの範囲内にある圧電振動子である。
本発明の圧電振動子の第５の態様は、第１の態様から第４の態様のいずれか１つの態様において、第１音叉腕の第２振動部と第２音叉腕の第２振動部の間の間隔Ｗ３と、第１音叉腕と第２音叉腕の各音叉腕の第２振動部とその第２振動部の幅方向に隣接する枠部分の間の間隔Ｗ４との間には、Ｗ４≠Ｗ３の関係を備えている圧電振動子である。
【手続補正３】
【補正対象書類名】明細書
【補正対象項目名】０００７
【補正方法】変更
【補正の内容】
【０００７】本発明の圧電ユニットの第１の態様は、第１の態様から第５の態様のいずれか１つの態様に記載の圧電振動子と、ケースと、蓋と、を備えて構成され、幅Ｆ４を備えた第４枠部分は幅Ｆ３を備えた第３枠部分と反対の位置に形成され、第１枠部分から第４枠部分がケースと蓋の間にあるように、第１枠部分から第４枠部分がケースと蓋に接続されている圧電ユニットである。
本発明の圧電ユニットの第２の態様は、第１の態様から第５の態様のいずれか１つの態様に記載の圧電振動子と、ケースと、蓋と、を備えて構成され、第１音叉腕の第１振動部と第２音叉腕の第１振動部の間の間隔Ｗ７と、第１音叉腕と第２音叉腕の各音叉腕の第２振動部とその第２振動部の長さ方向に隣接する枠部分の間の間隔Ｌ３との比がＷＬ７３＝Ｗ７／Ｌ３で定義されるとき、ＷＬ７３は１．２から５．５の範囲内にある圧電ユニットである。
本発明の圧電ユニットの第３の態様は、第１の態様又は第２の態様において、第１枠部分と第２枠部分とは互いに反対の位置にあって、第１音叉腕の第２振動部と第２音叉腕の第２振動部の間の間隔Ｗ３と、前記基部部分と第１枠部分との間の間隔Ｗ８と前記基部部分と第２枠部分との間の間隔Ｗ９との間には、Ｗ３＜Ｗ８、Ｗ９の関係を備えている圧電ユニットである。
本発明の圧電発振器の第１の態様は、第１の態様から第５の態様のいずれか１つの態様に記載の圧電振動子を、あるいは第１の態様から第３の態様のいずれか１つの態様に記載の圧電ユニットを備えている圧電発振器である。
本発明の電子機器の第１の態様は、第１の態様から第５の態様のいずれか１つの態様に記載の圧電振動子を、あるいは第１の態様から第３の態様のいずれか１つの態様に記載の圧電ユニットを、あるいは第１の態様に記載の圧電発振器を備えている電子機器である。
【手続補正４】
【補正対象書類名】明細書
【補正対象項目名】００５６
【補正方法】変更
【補正の内容】
【００５６】  同様に、Ｌｏｉ＝０．８ｍｍとＬｏ＝５ｍｍの関係から第２長さ寸法Ｌｉの上限値は４．２ｍｍに限定される。換言するならば、第１長さ寸法Ｌｏは２．４ｍｍから５ｍｍの範囲内にあり、第２長さ寸法Ｌｉは１．６ｍｍから４．２ｍｍの範囲内にある。また、Ｌｏｉは０．８ｍｍから３．４ｍｍの範囲内にある。換言するならば、Ｌｏｉは３．４ｍｍに等しいか、あるいは３．４ｍｍより小さい値を有し、かつ、０．８ｍｍに等しいか、あるいは、０．８ｍｍより大きい値を有する。その結果、周波数変化のない音叉型振動子を備えた実装面積の小さい、小型のユニットが得られるという効果が奏される。